(57)【要約】【課題】ピンの位置を変えてプレーに要する時間を調整する場合に、ピンの位置の決定を支援すること。【解決手段】位置取得部１０１は、ゴルフコースのグリーン上のピンの位置を表す位置情報を取得する。長さ取得部１０２は、ゴルフコースにおいてプレイヤーがゴルフをプレーしたときに要したプレー時間の長さを表す時間情報を取得する。評価部１０３は、位置取得部１０１により取得された位置情報により表されるピンの位置でプレーが行われたときに長さ取得部１０２により取得された時間情報に基づいて、互いに異なるピンの位置における時間情報同士を比較して、それらのピンの位置がプレー時間に与えた影響を評価する。出力部１０４は、評価部１０３により評価された結果に基づくデータを出力する。【選択図】図８
2014117570.tif 000002
【特許請求の範囲】
【請求項１】
ゴルフコースのグリーン上のピンの位置を表す位置情報を取得する位置取得手段と、
前記ゴルフコースにおいてプレイヤーがゴルフをプレーしたときに要したプレー時間の長さを表す時間情報を取得する長さ取得手段と、
前記位置取得手段により取得された位置情報により表されるピンの位置でプレーが行われたときに前記長さ取得手段により取得された時間情報に基づいて、互いに異なるピンの位置における当該時間情報同士を比較して、前記ピンの位置が前記プレー時間に与えた影響を評価する評価手段と
を備えることを特徴とする情報処理装置。
【請求項２】
前記長さ取得手段は、前記ゴルフコースの或るホールのグリーン上における前記プレー時間の長さを表す情報を第１の前記時間情報として取得し、当該ホールにおける前記プレー時間または当該グリーンを含む当該ホールの所定の区間における前記プレー時間のいずれかの長さを表す情報を第２の前記時間情報として取得し、
前記評価手段は、取得された当該第１の時間情報及び当該第２の時間情報の関係に応じて前記影響を評価する
ことを特徴とする請求項１に記載の情報処理装置。
【請求項３】
前記長さ取得手段は、前記プレー時間の長さを数値で表した前記第１及び第２の時間情報を取得し、
前記評価手段は、前記第１及び第２時間情報が取得されたときのピンの位置による前記影響として、取得された当該第２の時間情報を当該第１の時間情報で除した値が大きいほど、当該位置にピンが立っているグリーンまでの前記プレー時間が当該グリーン上での前記プレー時間の割に長くなったと評価する
ことを特徴とする請求項２に記載の情報処理装置。
【請求項４】
前記長さ取得手段は、前記ゴルフコースの或るホールにおける前記プレー時間、当該ホールのグリーン上における前記プレー時間、当該ホールにおける当該グリーンまでの前記プレー時間、当該グリーンを含む当該ホールの所定の区間における前記プレー時間または当該ホールのホールアウトから次のホールのティーショットまでに要する前記プレー時間のいずれかを数値で表した前記時間情報を取得し、
前記評価手段は、ピンの位置が前記プレー時間に与えた影響を、互いに異なるピンの位置でそれぞれプレーが行われたときに取得された前記時間情報の平均値、中央値、最大値または最小値同士を比較した結果に応じて評価する
ことを特徴とする請求項１に記載の情報処理装置。
【請求項５】
前記長さ取得手段は、１組の前記プレイヤーの人数に応じて当該プレイヤー１人あたりの前記プレー時間の長さを表す前記時間情報を取得する
ことを特徴とする請求項１乃至４のいずれか１項に記載の情報処理装置。
【請求項６】
前記長さ取得手段は、前記ピンの抜き差しを検知する検知手段により前記ピンが抜き取られたことが検知された時刻と当該ピンが差し込まれた時刻との差に基づいて定まる前記第２の時間情報を取得する
ことを特徴とする請求項２乃至５のいずれか１項に記載の情報処理装置。
【請求項７】
前記位置取得手段は、カップまたはホールカッターに設けられた、位置を測定する測位手段によって測定された位置を表す情報を前記位置情報として取得する
ことを特徴とする請求項１乃至６のいずれか１項に記載の情報処理装置。
【請求項８】
取得された前記位置情報により表されるピンの位置と、当該ピンの位置が前記評価手段により評価された結果とを対応付けたデータを出力する出力手段を備える
ことを特徴とする請求項１乃至７のいずれか１項に記載の情報処理装置。
【請求項９】
前記評価手段は、取得された前記位置情報により表されるピンの位置が前記プレー時間に与えた影響に基づいて、当該位置とは異なるピンの位置が、前記プレーが今後行われるときに要する時間に与える影響を評価する
ことを特徴とする請求項１乃至８のいずれか１項に記載の情報処理装置。
【請求項１０】
情報処理装置が、ゴルフコースのグリーン上のピンの位置を表す位置情報を取得する位置取得ステップと、
前記情報処理装置が、前記ゴルフコースにおいてプレイヤーがゴルフをプレーしたときに要したプレー時間の長さを表す時間情報を取得する長さ取得ステップと、
前記情報処理装置が、前記位置取得ステップにおいて取得された位置情報により表されるピンの位置でプレーが行われたときに前記長さ取得ステップにおいて取得された時間情報に基づいて、互いに異なるピンの位置における当該時間情報同士を比較して、前記ピンの位置が前記プレー時間に与えた影響を評価する評価ステップと
を備えることを特徴とする情報処理方法。
【発明の詳細な説明】
【技術分野】
【０００１】
本発明は、ゴルフ場の運営を支援する技術に関する。
【背景技術】
【０００２】
ゴルフ場の運営を支援する技術がある。例えば、特許文献１には、ゴルフコースを走行するカートの位置情報からプレーの遅延を判定し、遅延しているカートに警告信号を発信する技術が記載されている。この技術は、プレイヤーに警告を与えてプレーを早めさせ、プレーに要する時間を短くさせることでゴルフ場の運営を支援するものといえる。
【先行技術文献】
【特許文献】
【０００３】
【特許文献１】特開２００８−１７８６７７号公報
【発明の概要】
【発明が解決しようとする課題】
【０００４】
ところで、グリーン上のピンがいつも同じような位置に立っていると、周囲の芝が痛んだりプレイヤーが飽きてしまったりするため、ピンの位置を毎日変えて運営されることが多い。一方、ピンの位置を変えると、ゴルフのプレーに要する時間も変化することがある。これらのことを考慮して、多くのゴルフ場では、ゴルフコースが混雑する週末には、比較的プレーに要する時間が短くなりやすい位置にピンを立て、平日にはそれ以外の位置にピンを立てるといった調整が行われている。例えば、週末は花道を使える位置にピンを立て、平日はバンカー越えや池越えの位置にピンを立てるといった具合である。
【０００５】
しかし、プレーに要する時間は、プレイヤーの技量、グリーンを狙うときのライ、障害物（バンカー、池及び木等）の配置や見え方など様々な要素に左右されるため、ピンの位置との関係を判断することが難しい。また、特許文献１の技術では、このような判断を支援することができない。
そこで、本発明は、ピンの位置を変えてプレーに要する時間を調整する場合に、ピンの位置の決定を支援することを目的とする。
【課題を解決するための手段】
【０００６】
上記課題を達成するために、本発明は、ゴルフコースのグリーン上のピンの位置を表す位置情報を取得する位置取得手段と、前記ゴルフコースにおいてプレイヤーがゴルフをプレーしたときに要したプレー時間の長さを表す時間情報を取得する長さ取得手段と、前記位置取得手段により取得された位置情報により表されるピンの位置でプレーが行われたときに前記長さ取得手段により取得された時間情報に基づいて、互いに異なるピンの位置における当該時間情報同士を比較して、前記ピンの位置が前記プレー時間に与えた影響を評価する評価手段とを備えることを特徴とする情報処理装置を提供する。
【０００７】
また、前記長さ取得手段は、前記ゴルフコースの或るホールのグリーン上における前記プレー時間の長さを表す情報を第１の前記時間情報として取得し、当該ホールにおける前記プレー時間または当該グリーンを含む当該ホールの所定の区間における前記プレー時間のいずれかの長さを表す情報を第２の前記時間情報として取得し、前記評価手段は、取得された当該第１の時間情報及び当該第２の時間情報の関係に応じて前記影響を評価してもよい。
さらに、前記長さ取得手段は、前記プレー時間の長さを数値で表した前記第１及び第２の時間情報を取得し、前記評価手段は、前記第１及び第２時間情報が取得されたときのピンの位置による前記影響として、取得された当該第２の時間情報を当該第１の時間情報で除した値が大きいほど、当該位置にピンが立っているグリーンまでの前記プレー時間が当該グリーン上での前記プレー時間の割に長くなったと評価してもよい。
【０００８】
また、前記長さ取得手段は、前記ゴルフコースの或るホールにおける前記プレー時間、当該ホールのグリーン上における前記プレー時間、当該ホールにおける当該グリーンまでの前記プレー時間、当該グリーンを含む当該ホールの所定の区間における前記プレー時間または当該ホールのホールアウトから次のホールのティーショットまでに要する前記プレー時間のいずれかを数値で表した前記時間情報を取得し、前記評価手段は、ピンの位置が前記プレー時間に与えた影響を、互いに異なるピンの位置でそれぞれプレーが行われたときに取得された前記時間情報の平均値、中央値、最大値または最小値同士を比較した結果に応じて評価してもよい。
さらに、前記長さ取得手段は、１組の前記プレイヤーの人数に応じて当該プレイヤー１人あたりの前記プレー時間の長さを表す前記時間情報を取得してもよい。
【０００９】
また、前記長さ取得手段は、前記ピンの抜き差しを検知する検知手段により前記ピンが抜き取られたことが検知された時刻と当該ピンが差し込まれた時刻との差に基づいて定まる前記第２の時間情報を取得してもよい。
さらに、前記位置取得手段は、カップまたはホールカッターに設けられた、位置を測定する測位手段によって測定された位置を表す情報を前記位置情報として取得してもよい。
【００１０】
また、取得された前記位置情報により表されるピンの位置と、当該ピンの位置が前記評価手段により評価された結果とを対応付けたデータを出力する出力手段を備えてもよい。
さらに、前記評価手段は、取得された前記位置情報により表されるピンの位置が前記プレー時間に与えた影響に基づいて、当該位置とは異なるピンの位置が、前記プレーが今後行われるときに要する時間に与える影響を評価してもよい。
【００１１】
本発明は、情報処理装置が、ゴルフコースのグリーン上のピンの位置を表す位置情報を取得する位置取得ステップと、前記情報処理装置が、前記ゴルフコースにおいてプレイヤーがゴルフをプレーしたときに要したプレー時間の長さを表す時間情報を取得する長さ取得ステップと、前記情報処理装置が、前記位置取得ステップにおいて取得された位置情報により表されるピンの位置でプレーが行われたときに前記長さ取得ステップにおいて取得された時間情報に基づいて、互いに異なるピンの位置における当該時間情報同士を比較して、前記ピンの位置が前記プレー時間に与えた影響を評価する評価ステップとを備えることを特徴とする情報処理方法を提供する。
【発明の効果】
【００１２】
本発明によれば、ピンの位置を変えてプレーに要する時間を調整する場合に、ピンの位置の決定を支援することができる。
【図面の簡単な説明】
【００１３】
【図１】評価システムの全体構成を示す図である。
【図２】測定装置群の構成を示す図である。
【図３】第１測定装置を説明するための図である。
【図４】第３測定装置のハードウェア構成を示す図である。
【図５】第２測定装置を説明するための図である。
【図６】第１、第２及び第３測定装置が設置される場所の一例を示す図である。
【図７】情報処理装置のハードウェア構成を示す図である。
【図８】情報処理装置が実現する機能構成を示す図である。
【図９】グリーン面の複数の領域の一例を示す図である。
【図１０】記憶された時刻、人数及び順番の例を示す表である。
【図１１】第１及び第２の時間情報の例を示す表である。
【図１２】第１の方法での評価結果を説明するための表である。
【図１３】第２の方法での評価を説明するための表である。
【図１４】表示された評価結果データの一例を示す図である。
【図１５】評価処理における各装置の動作の一例を示すシーケンス図である。
【図１６】所定の区間を説明するための図である。
【図１７】変形例の評価の方法を説明するための図である。
【図１８】本変形例の情報処理装置の機能構成を示す図である。
【図１９】生成部が生成したデータの一例を示すグラフである。
【図２０】生成部が生成したデータの一例を示すグラフである。
【発明を実施するための形態】
【００１４】
［実施形態］
本発明の実施の形態の一つである評価システムについて以下に説明する。
［構成］
図１は、評価システム１の全体構成を示す図である。評価システム１は、ゴルフ場の運営を支援するために、ゴルフコースにおいてプレイヤーがゴルフをプレーしたときに要した時間（以下「プレー時間」という。）にグリーン上のピンの位置が与えた影響（以下単に「ピン位置の影響」という。）を評価するシステムである。ゴルフコースにおいては、ピンの位置が変わることで、プレー時間も変化することがある。例えば、難易度の高いピンの位置でプレーが行われた場合に、難易度の低いピンの位置でプレーが行われた場合に比べてプレー時間が長くなることがある。ピンの位置の影響とは、このように、ピンの位置によってプレー時間が長くなったり短くなったりする影響のことである。評価システム１は、このようなピンの位置の影響を評価する。
【００１５】
評価システム１は、情報処理装置１０と測定装置群２０１〜２１８（各々を区別しない場合は「測定装置群２００」という。）とを備えている。測定装置群２００は、１番ホールから１８番ホールまでの各ホールにそれぞれ設置され、プレイヤーのプレー時間を計測するための測定を行う。測定装置群２００は、移動体通信網及びインターネット等を含むネットワーク２を介して情報処理装置１０と通信可能となっている。
【００１６】
測定装置群２００の構成について、１番ホールに設けられる測定装置群２０１を例に説明する。
図２は、測定装置群２０１の構成を示す図である。測定装置群２０１は、第１測定装置３０１と、第２測定装置４０１と、第３測定装置５０１とを備えている。なお、測定装置群２０１〜２１８は、第１測定装置３０１〜３１８と、第２測定装置４０１〜４１８と、第３測定装置５０１〜５１８とをそれぞれ備えている。これらの装置の各々を区別しない場合は、それぞれ「第１測定装置３００」、「第２測定装置４００」及び「第３測定装置５００」という。
【００１７】
図３は、第１測定装置３０１を説明するための図である。図３（ａ）では、第１測定装置３０１のハードウェア構成が示されている。第１測定装置３０１は、カートまたはプレイヤーが自装置の前を通過した時刻（以下単に「通過時刻」という。）を測定する装置である。第１測定装置３０１は、センサ３１と、制御装置３２と、通信装置３３とを備えている。センサ３１は、カートまたはプレイヤーが通過したことを判断するための物理量を測定するセンサであり、例えば、反射型赤外線センサである。センサ３１は、赤外線を照射し、何らかの物体によって反射したその赤外線の光量を測定する。センサ３１は、測定した光量を示す信号を制御装置３２に供給する。
【００１８】
制御装置３２は、ＣＰＵ（Central Processing Unit）、ＲＯＭ（Read Only Memory）、ＲＡＭ（Random Access Memory）及びリアルタイムクロックを備えている。ＣＰＵは、ＲＡＭをワークエリアとして用いてＲＯＭに記憶されたプログラムを実行することによって、センサ３１及び通信装置３３の動作を制御する。ＲＯＭは、自装置を識別する識別情報を記憶している。この識別情報は、第１、第２及び第３測定装置の各々を識別するために決められた情報であり、例えば、互いに重複しない番号や記号が識別情報として決められている。リアルタイムクロックは、現在の日時を算出する機能を有している。通信装置３３は、ネットワーク２を介して無線通信を行うための通信回路を備え、例えばネットワーク２を介して情報処理装置１０にデータを送信する。
【００１９】
図３（ｂ）では、第１測定装置３０１の外観が示されている。第１測定装置３０１は、センサ３１が照射する赤外線及びセンサ３１に向けて入射する赤外線を通過させる通過口３４を有する筐体３５を備えている。第１測定装置３０１は、例えばカートパス沿いに通過口３４をカートパス側に向けて設置される。図３（ｃ）では、カートパス沿いに設置された第１測定装置３０１が示されている。図３（ｃ）に示すカート３は、第１測定装置３０１の通過口３４の前方を矢印の方向に通過する。このとき、センサ３１から照射されてカート３により反射された赤外線が通過口３４に入射するため、センサ３１が測定する光量がその前後に比べて大きくなる。プレイヤーが通過した場合も同様である。制御装置３２は、このような光量の変化に基づいて前述した通過時刻を測定する。制御装置３２は、例えば、センサ３１から供給される信号が示す光量が閾値以下である期間が決められた時間（例えば５分間）以上続いたあとで、最初にこの光量が閾値を超えた時刻を通過時刻として測定する。制御装置３２は、通過時刻を測定した場合、測定した通過時刻と自装置の識別情報とを示す時刻データを通信装置３３を制御して情報処理装置１０に送信させる。
【００２０】
他の第１測定装置３００も、いずれも第１測定装置３０１と同じハードウェア構成を備え、上記の方法で通過時刻を測定し、時刻データを情報処理装置１０に送信する。また、第３測定装置５００も、第１測定装置３０１と同じハードウェア構成を備える。
図４は、第３測定装置５００のハードウェア構成を示す図である。第３測定装置５００は、図３に示すセンサ３１、制御装置３２及び通信装置３３とそれぞれ同じ装置であるセンサ５１、制御装置５２及び通信装置５３を備える。第３測定装置５００は、図３の説明で述べた方法で通過時刻を測定し、時刻データを情報処理装置１０に送信する。
【００２１】
図５は、第２測定装置４０１を説明するための図である。図５（ａ）では、第２測定装置４０１のハードウェア構成が示されている。第２測定装置４０１は、センサ４１と、測位装置４２と、制御装置４３と、通信装置４４とを備えている。これらの装置は、グリーンに埋め込まれるカップ内に設置される。図５（ｂ）では、グリーンに埋め込まれたカップ４の断面と、カップ４の内部に設置された第２測定装置４０１が備える各装置との一例が示されている。カップ４は、ピン５を差し込むための差し込み部４９を有し、差し込み部４９には、ピン５が差し込まれている。
【００２２】
センサ４１は、ピンの抜き差しを検知するための物理量を測定するセンサであり、例えば、重さを測定するセンサである。センサ４１は、カップ４の底面と差し込み部４９の底部と接するように設置されている。差し込み部４９は、ピン５が差し込まれると、ピン５の重さによって変形し、その底部が鉛直下向きに移動する。センサ４１は、差し込み部４９の底部の移動を重さとして測定する。センサ４１は、測定した重さを示す信号を制御装置４３に供給する。測位装置４２は、例えばＧＰＳ（Global Positioning System）の技術を用いて自装置の位置を測定する測位手段である。具体的には、測位装置４２は、ＧＰＳ衛星からの信号を受信することで、自装置が所在する位置の緯度及び経度を測定する。測位装置４２は、測定した位置を示す信号を制御装置４３に供給する。通信装置４４は、ネットワーク２を介して無線通信を行うための通信回路を備え、例えばネットワーク２を介して情報処理装置１０にデータを送信する。
【００２３】
制御装置４３は、ＣＰＵ、ＲＯＭ、ＲＡＭ及びリアルタイムクロックを備えている。ＣＰＵは、ＲＡＭをワークエリアとして用いてＲＯＭに記憶されたプログラムを実行することによって、第２測定装置４０１が備える各装置の動作を制御する。ＲＯＭは、上述した識別情報を記憶している。リアルタイムクロックは、現在の日時を算出する機能を有している。制御装置４３は、センサ４１により測定される重さの変化に基づいて、次のようにピンの抜き差しを検知する。ＲＯＭには、ピンが差し込まれた状態でセンサ４１により測定される第１の重さと、ピンが抜き取られた状態でセンサ４１により測定される第２の重さとの間の重さが閾値として記憶されている。制御装置４３は、センサ４１から供給された信号が示す重さが閾値以下である状態から閾値を超えた状態になったときにピン５が差し込まれたことを検知し、この重さが閾値を越えている状態から閾値以下の状態になったときにピン５が抜き取られたことを検知する。このように、センサ４１及び制御装置４３が協働することで、ピンの抜き差しを検知する検知手段として機能する。
【００２４】
制御装置４３は、ピン５が抜き取られたことを検知した時刻（以下「抜き取り時刻」という。）と、ピン５が差し込まれたことを検知した時刻（以下「差し込み時刻」という。）とを測定する。制御装置３２は、抜き取り時刻及び差し込み時刻を測定した場合、測定したこれらの時刻と自装置の識別情報とを示す時刻データを通信装置４４を制御して情報処理装置１０に送信させる。また、制御装置４３は、測位装置４２により測定された位置と自装置の識別情報とを示す位置データを通信装置４４を制御して情報処理装置１０に送信させる。
【００２５】
図６は、第１、第２及び第３測定装置が設置される場所の一例を示す図である。図６では、上空から見たホール７が示されている。ホール７には、ティーグラウンド８と、カートパス９と、グリーン６とが設けられている。ホール７においては、ティーグラウンド８側を後方、グリーン６側を前方といい、後方から前方に向かう方向に直交する方向を横方向という。
【００２６】
第１測定装置３００は、この例では、ティーグラウンド８の前方の端部の横方向のカートパス９沿いに設置されている。なお、第１測定装置３００は、カートパス９沿いであればこれよりも前方または後方に設置されていてもよいが、ティーショットを打つときにプレイヤーがカートを停止させる場所よりも前方に設置されることが望ましい。第３測定装置５００は、この例では、グリーン６よりも前方のカートパス９沿いに設置されている。なお、第３測定装置５００も、カートパス９沿いであればこれよりも前方または後方に設置されていてもよいが、グリーン上のプレーをするときにプレイヤーがカートを停止させる場所よりも次のホールに近い場所に設置されることが望ましい。また、第１測定装置３００及び第３測定装置５００は、カートパス９沿いでなくとも、カート及びプレイヤーの通過を検知可能な場所であれば、カートパス９から離れた場所に設置されていてもよい。第２測定装置４００は、グリーン６のピン５が立てられているカップ内に設置されている。
【００２７】
図７は、情報処理装置１０のハードウェア構成を示す図である。情報処理装置１０は、制御装置１１と、記憶装置１２と、通信装置１３と、表示装置１４と、操作装置１５とを備えるコンピュータであり、例えばパーソナルコンピュータである。制御装置１１は、ＣＰＵ、ＲＯＭ、ＲＡＭ及びリアルタイムクロックを備えている。ＣＰＵは、ＲＡＭをワークエリアとして用いてＲＯＭ及び記憶装置１２に記憶されたプログラムを実行することによって、情報処理装置１０が備える各装置の動作を制御する。記憶装置１２は、例えばフラッシュメモリやハードディスク等の記憶手段であり、制御装置１１が制御に用いるデータやプログラムなどを記憶している。通信装置１３は、ネットワーク２を介して通信を行うための通信回路を備え、例えばネットワーク２を介して送信されてきたデータを受信する。表示装置１４は、表示面を備え、その表示面に画像を表示する表示手段である。操作装置１５は、キーボードやマウス等の入力手段を備え、ユーザの操作を受け付けてその操作の内容を示す信号を制御装置１１に供給する。
【００２８】
情報処理装置１０は、以上のハードウェア構成に基づき、上述したピン位置の影響を評価する評価処理を行う。記憶装置１２には、評価処理を行うためのプログラムが記憶されている。制御装置１１がそのプログラムを実行して図７に示す各装置を制御することで、以下に述べる機能が実現される。
図８は、情報処理装置１０が実現する機能構成を示す図である。情報処理装置１０は、位置取得部１０１と、長さ取得部１０２と、評価部１０３と、出力部１０４とを備える。
【００２９】
位置取得部１０１は、ゴルフコースのグリーン上のピンの位置を表す情報（以下「位置情報」という。）を取得する位置取得手段である。位置取得部１０１は、例えば、カップに設けられた、位置を測定する測位手段によって測定された位置の情報を位置情報として取得する。位置取得部１０１は、本実施形態においては、図５に示す制御装置１１、記憶装置１２及び通信装置１３が協働して実現する機能である。図４で示した第２測定装置４０１は、例えば１日のうちの決められた時刻に上述した位置データを情報処理装置１０に送信する。この時刻は、ピンが或る位置に切られてから、次の位置に切られるまでの間のどこかの時刻であればよく、ピンの位置を変更する時間帯（夕方や早朝）を除く時刻であることが望ましい。なお、制御装置１１が通信装置１３を介して位置データを要求する要求データを第２測定装置４０１に送信し、要求データを受信した第２測定装置４０１がその応答で位置データを送信してもよい。
【００３０】
制御装置１１には、通信装置１３を介して位置データが供給される。一方、記憶装置１２は、各ホールのグリーン面を複数の領域に分割したときの各領域に含まれる位置を示す領域データを記憶している。
図９は、グリーン面の複数の領域の一例を示す図である。図９に示すグリーン６は、図６に示すホール７のグリーンであり、６つの領域Ａ、Ｂ、Ｃ、Ｄ、Ｅ及びＦに分割されている。これらの領域は、グリーンのカラーの内側の線と、図９に示す破線とで囲まれる領域である。なお、各領域は、カラーの外側の線に囲まれた領域であってもよい。領域データは、例えば各領域の境界の複数の位置を示すデータである。
【００３１】
制御装置１１は、この領域データに基づいて、供給された位置データにより示される位置が含まれる領域を判断する。位置取得部１０１は、こうして判断した領域を、位置情報として取得する。図９の例では、位置取得部１０１は、例えばピンの位置Ａやピンの位置Ｂを表す位置情報を取得する。位置取得部１０１は、取得した位置情報を評価部１０３に供給する。上記の位置データの送信が１日毎に行われるため、位置取得部１０１も、１日毎に位置情報を評価部１０３に供給する。
【００３２】
長さ取得部１０２は、プレー時間、すなわちゴルフコースにおいてプレイヤーがゴルフをプレーしたときに要した時間の長さを表す時間情報を取得する長さ取得手段である。長さ取得部１０２は、本実施形態では、ゴルフコースの或るホールのグリーン上におけるプレー時間の長さを表す情報（以下「第１の時間情報」という。）と、そのホールにおけるプレー時間の長さを表す情報（以下「第２の時間情報」という。）とを時間情報として取得する。長さ取得部１０２は、例えば、制御装置１１、記憶装置１２、通信装置１３及び操作装置１５が協働して実現する機能である。
【００３３】
制御装置１１には、第１測定装置３００、第２測定装置４００及び第３測定装置５００から送信されてくる時刻データが通信装置１３を介して供給される。一方、記憶装置１２は、上述した識別情報と、それらの識別情報により識別される各測定装置が設置されているホールとを対応付けた識別情報テーブルを記憶している。制御装置１１は、この識別情報テーブルを参照し、供給された時刻データが示す識別情報に対応付けられたホールを、その時刻データを送信してきた測定装置が設置されているホールとして特定する。なお、各測定装置は、識別情報の代わりに設置されたホールの番号を記憶しておき、その番号を示すデータを送信するようにしてもよい。その場合、制御装置１１は、供給されたデータ（例えば時刻データ）が示す番号をそのデータを送信してきた測定装置が設置されているホールとして特定し、記憶装置１２に識別情報テーブルを記憶させておく必要がなくなる。
【００３４】
また、記憶装置１２は、ラウンドを開始する組の順番と、各組のプレイヤーの人数とを対応付けた人数テーブルを記憶している。なお、記憶装置１２は、アウトとインのそれぞれからプレイヤーがラウンドを開始する場合には、アウトとインのそれぞれについて順番と人数とを対応付けた人数テーブルを記憶している。この人数テーブルは、例えば、ゴルフ場の運営者が操作装置１５を操作して入力した組の順番と人数とに基づいて、制御装置１１により生成されたものである。なお、制御装置１１は、例えばプレイヤーの予約を受け付けるシステムから供給された組の順番と人数とに基づいて、人数テーブルを生成してもよい。
【００３５】
制御装置１１は、例えば、１番ホールに設置された第１測定装置３００からその日の１番目に送信されてきた時刻データを、人数テーブルでアウトの１番目の組に対応付けられている人数と、その順番（この場合１組目）とに対応付けて、記憶装置１２に記憶させる。制御装置１１は、同じく、その第１測定装置３００からその日の２番目に送信されてきた時刻データを、人数テーブルでアウトの２番目の組に対応付けられている人数と、その順番（この場合２組目）とに対応付けて、記憶装置１２に記憶させる。制御装置１１は、各ホールに設置された第１測定装置３００から送信されてきた時刻データが供給されたときにも、同様に人数と順番とに対応付けて記憶させる。また、制御装置１１は、各ホールに設置された第２測定装置４００及び第３測定装置５００から送信されてきた時刻データが供給されたときにも、同様に人数と順番とに対応付けて記憶させる。なお、制御装置１１は、アウトとインのそれぞれからプレイヤーがラウンドを開始する場合には、アウトとインのそれぞれにおいて時刻データを人数と順番とに対応付けて記憶させる。
【００３６】
第１測定装置３００により測定された時刻は、ティーショットが終わりカートを移動させ初めた時刻を表しており、以下ではこの時刻を「ティーショット時刻」という。第３測定装置５００により測定された時刻は、ホールアウトして次のホールにカートを移動させ初めた時刻を表しており、以下ではこの時刻を「ホールアウト時刻」という。また、第２測定装置４００により測定された時刻は、上述した抜き取り時刻（ピンが抜き取られたことを検知した時刻）及び差し込み時刻（ピンが差し込まれたことを検知した時刻）である。記憶装置１２に記憶される時刻データが示すこれらの時刻と、各時刻データに対応付けて記憶される人数及び順番の例を図１０に示す。
【００３７】
図１０は、記憶された時刻、人数及び順番の例を示す表である。図１０では、「順番」、「人数」、「ティーショット時刻」、「抜き取り時刻」、「差し込み時刻」及び「ホールアウト時刻」がそれぞれ示されている。例えば、「１組目」は、人数が「３」で、各時刻が「７：３５：００」、「７：４４：４３」、「７：５１：１９」及び「７：５１：５０」であることが示されている。同様に、「２組目」は、人数が「４」で、各時刻が「７：４３：５７」、「７：５９：３５」、「８：０６：４５」及び「８：０７：３８」であり、「３組目」は、人数が「２」で、各時刻が「７：５６：１２」、「８：０９：２０」、「８：１１：５１」及び「８：１２：１５」であることが示されている。長さ取得部１０２は、これらの情報に基づいて、次のように第１及び第２の時間情報を取得する。
【００３８】
長さ取得部１０２は、或る組の或るホールにおける差し込み時刻と、その組のそのホールにおける抜き取り時刻との差の時間を、その組のそのホールのグリーン上におけるプレー時間（「グリーン上のプレー時間」という）として算出する。また、長さ取得部１０２は、或る組の或るホールにおけるホールアウト時刻と、その組のそのホールにおけるティーショット時刻との差の時間を、その組のそのホールにおけるプレー時間（「ホールのプレー時間」という）として算出する。そして、長さ取得部１０２は、算出したグリーン上のプレー時間をその組の人数で除した値を第１の時間情報として取得し、算出したホールのプレー時間をその組の人数で除した値を第２の時間情報として取得する。
【００３９】
図１１は、第１及び第２の時間情報の例を示す表である。図１１では、「順番」、「人数」、「グリーン上のプレー時間」、「ホールのプレー時間」、「第１の時間情報」及び「第２の時間情報」がそれぞれ示されている。例えば、「１組目」は、人数が「３」で、グリーン上のプレー時間及びホールのプレー時間がそれぞれ「６：３６」及び「１６：５０」であるから、それらを３で除した「２：１２」及び「５：３６」が第１及び第２の時間情報として取得されていることが示されている。同様に、人数が「４」の「２組目」は、グリーン上及びホールのプレー時間がそれぞれ「７：１０」及び「２３：４１」であるから、それらを４で除した「１：４７」及び「５：５５」が第１及び第２の時間情報として取得され、人数が「２」の「３組目」は、グリーン上及びホールのプレー時間がそれぞれ「２：３１」及び「１６：０３」であるから、それらを２で除した「１：１５」及び「８：０１」が第１及び第２の時間情報として取得されていることが示されている。なお、長さ取得部１０２は、この例では、１秒未満の値を切り捨てているが、切り上げても四捨五入をしてもよいし、例えば１０秒未満の値を切り捨て、切り上げまたは四捨五入してもよい。長さ取得部１０２は、要は、プレー時間の長さを表す情報を時間情報として取得すればよい。
【００４０】
以上のとおり、長さ取得部１０２は、ピンの抜き差しを検知する検知手段によりピンが抜き取られたことが検知された時刻とそのピンが差し込まれた時刻との差に基づいて定まる第１の時間情報を取得する。また、長さ取得部１０２は、或るホールにおいて第３測定装置５００により測定された時刻と、そのホールにおいて第１測定装置３００により測定された時刻との差に基づいて定まる第２の時間情報を取得する。また、長さ取得部１０２は、ホールアウト時刻とティーショット時刻との差の時間を第２の時間情報として取得する。つまり、長さ取得部１０２は、本実施形態では、プレー時間の長さを数値で表した第１及び第２の時間情報を取得する。また、長さ取得部１０２は、１組のプレイヤーの人数に応じてそれらのプレイヤー１人あたりのプレー時間の長さを表す時間情報（第１及び第２の時間情報）を取得する。長さ取得部１０２は、取得した第１及び第２の時間情報を評価部１０３に供給する。
【００４１】
評価部１０３は、位置取得部１０１により取得された位置情報により表されるピンの位置でプレーが行われたときに長さ取得部１０２により取得された時間情報に基づいて、互いに異なるピンの位置における時間情報同士を比較して、ピンの位置がプレー時間に与えた影響を評価する評価手段である。評価部１０３は、制御装置１１及び記憶装置１２が協働して実現する機能である。制御装置１１には、位置取得部１０１から位置情報が供給され、長さ取得部１０２から第１及び第２の時間情報が供給される。位置情報は、上述したとおり、１日毎に供給される。制御装置１１は、最初に、或る位置情報により表されるピンの位置と、供給された第１及び第２の時間情報とを対応付けて記憶装置１２に記憶させる。このとき、第１及び第２の時間情報が、そのピンの位置でプレーが行われたときに取得されたものとなるようにする。そのあとは、制御装置１１は、次に供給された位置情報により表されるピンの位置と、次の日に供給された第１及び第２の時間情報とを対応付けて記憶装置１２に記憶させる。これにより、制御装置１１は、位置情報により表されるピンの位置を、そのピンの位置でプレーが行われたときに取得された第１及び第２の時間情報に対応付けて記憶させることになる。
【００４２】
評価部１０３は、このようにして記憶したピンの位置、第１及び第２の時間情報に基づいて上述した影響の評価を行う。評価部１０３は、２つの方法でこの評価を行う。
第１の方法では、評価部１０３は、取得されたピンの位置（「第１のピンの位置」という）がプレー時間に与えた影響として、その第１のピンの位置でプレーが行われたときに取得された時間情報の平均値が、他のピンの位置（「第２のピンの位置」という）でプレーが行われたときに取得された時間情報の平均値よりも大きい場合に、第１のピンの位置にピンが立っていたときのプレー時間が第２のピンの位置にピンが立っていたときのプレー時間に比べて長くなったと評価する。評価部１０３は、この第１の方法での評価を、例えば第１及び第２の時間情報のそれぞれについて行う。
【００４３】
図１２は、第１の方法での評価結果を説明するための表である。図１２では、「ピンの位置」、「第１の時間情報の平均値」及び「第２の時間情報の平均値」が示されている。この例では、図６に示したホール７のグリーン６上のピンの位置として、図９に示した「Ａ」、「Ｂ」、「Ｃ」、「Ｄ」、「Ｅ」及び「Ｆ」が示されている。また、ピンの位置Ａ、Ｂ、Ｃ、Ｄ、Ｅ及びＦにおける第１の時間情報の平均値が、それぞれ「１：５４」、「２：１８」、「１：５１」、「１：３０」、「２：１２」及び「１：５４」であり、第２の時間情報の平均値が、それぞれ「３：５４」、「４：０９」、「３：５７」、「４：０６」、「４：００」及び「４：３０」であることが示されている。これらの平均値は、例えば、過去の或る期間（例えば１ヶ月間や半年間など）に各位置にピンが立てられたときに取得された第１及び第２の時間情報の平均値を表している。
【００４４】
評価部１０３は、例えば、位置Ｆにおける第１の時間情報の平均値（１：５４）が、位置Ｃ及びＤの第１の時間情報の平均値よりも大きいため、位置Ｆにピンが立っていたときのホール７のグリーン６上のプレー時間が位置Ｃ及びＤにピンが立っていたときのホール７のグリーン６上のプレー時間に比べて長くなったと評価する。また、評価部１０３は、位置Ｆを第１のピンの位置とした場合、位置Ｆにおける第２の時間情報の平均値（４：３０）が、位置Ａ〜Ｅの第２の時間情報の平均値よりも大きいため、位置Ｆにピンが立っていたときのホール７のプレー時間が位置Ａ〜Ｅにピンが立っていたときのホール７のプレー時間に比べて長くなったと評価する。
【００４５】
なお、評価部１０３は、第１の方法において、第１のピンの位置がプレー時間に与えた影響として、その第１のピンの位置でプレーが行われたときに取得された時間情報の平均値が、第２のピンの位置でプレーが行われたときに取得された時間情報の平均値よりも小さい場合に、第１のピンの位置にピンが立っていたときのプレー時間が第２のピンの位置にピンが立っていたときのプレー時間に比べて短くなったと評価してもよい。この場合、第１の時間情報の平均値が最も小さいピンの位置Ｄや、第２の時間情報の平均値が最も小さいピンの位置Ａについても、第１の方法での評価がされることになる。このように、評価部１０３は、第１の方法では、ピンの位置がプレー時間に与えた影響を、互いに異なるピンの位置でそれぞれプレーが行われたときに取得された時間情報の平均値同士を比較した結果に応じて評価する。
【００４６】
第２の方法では、評価部１０３は、長さ取得部１０２により取得された第１の時間情報及び第２の時間情報の関係に応じてその影響を評価する。評価部１０３は、例えば、第１及び第２時間情報が取得されたときのピンの位置による影響を、取得されたその第２の時間情報をその第１の時間情報で除した値（以下「除算値」という。）を用いて評価する。具体的には、評価部１０３は、算出した除算値が大きいピンの位置ほど、その位置にピンが立っているグリーンを目指して行われたプレーに要した時間（つまりグリーンまでのプレー時間）が、そのグリーン上でのプレー時間の割に長くなったと評価する。評価部１０３は、第１及び第２の時間情報の合計または平均値を用いて、前述した除算を行う。第２の方法での評価について、図１３を参照して説明する。
【００４７】
図１３は、第２の方法での評価を説明するための表である。図１３では、図１２の例において算出された「除算値」が示されている。この例では、ピンの位置Ａ、Ｂ、Ｃ、Ｄ、Ｅ及びＦにおける除算値が、それぞれ「２．０５」、「１．８０」、「２．１４」、「２．７３」、「１．８２」及び「２．３７」と示されている。この場合、評価部１０３は、除算値が大きい順番に、すなわち、位置Ｄ、Ｆ、Ｃ、Ａ、Ｅ及びＢの順番に、その位置にピンが立っているグリーンまでのプレー時間がそのグリーン上でのプレー時間の割に長くなったと評価する。
以上のとおり、評価部１０３は、第１及び第２のいずれの方法でも、互いに異なるピンの位置における時間情報同士を比較して影響を評価している。
【００４８】
評価部１０３は、第１及び第２の方法で評価した結果を示す評価結果データを出力部１０４に供給する。第１の方法で評価がされた場合の評価結果データは、例えば、第１及び第２の時間情報の平均値が大きいほうから続き番号（例えば１、２、３・・）を付与し、それらの平均値、続き番号及びピンの位置を互いに対応付けたデータである。また、第２の方法で評価がされた場合の評価結果データは、例えば、除算値が大きいほうから続き番号（例えば１、２、３・・）を付与し、除算値、続き番号及びピンの位置を互いに対応付けたデータである。これらの続き番号は、ピンの位置がプレー時間に与えた影響の大きさの順位を表している。例えば、第１及び第２の時間情報の平均値であれば、順位が上である（番号が小さい）ほど、プレー時間が長くなりやすいという影響の大きさの順位が表される。また、除算値であれば、順位が上である（番号が小さい）ほど、グリーンまでのプレー時間がそのグリーン上でのプレー時間の割に長いという影響の大きさの順位が表される。これらの影響の大きさは、評価部１０３による評価の結果を表している。このように、評価結果データは、ピンの位置と、そのピンの位置が評価部１０３により評価された結果とを対応付けたデータである。
【００４９】
出力部１０４は、評価部１０３により評価された結果に基づくデータを出力する出力手段である。出力部１０４は、本実施形態においては、位置取得部１０１により取得された位置情報により表されるピンの位置と、そのピンの位置が評価部１０３により評価された結果とを対応付けたデータとして、上述した評価結果データを出力する。出力部１０４は、例えば、制御装置１１、記憶装置１２、通信装置１３及び操作装置１５が協働して実現する機能である。制御装置１１は、評価部１０３から供給された評価結果データを記憶装置１２に記憶させる。制御装置１１に対して、例えば外部装置から送信されてきた評価結果データを要求する要求データが通信装置１３を介して供給されると、制御装置１１は、通信装置１３を介して評価結果データをその外部装置に出力する。また、操作装置１５がユーザにより操作され、評価結果データを表示させる操作を表す信号が制御装置１１に供給されると、制御装置１１は、評価結果データを表示装置１４に出力して表示させる。
【００５０】
図１４は、表示された評価結果データの一例を示す図である。図１４では、「ホール７の評価結果データ」として、ホール７における「グリーン上のプレー」、「ホールのプレー」及び「グリーンまでのプレー」のそれぞれについて、「順位」及び「ピンの位置」が示されている。「順位」は、評価結果データが示す続き番号、すなわち、ピンの位置がプレー時間に与えた影響の大きさの順位を表している。例えば、グリーン上のプレーであれば、ピンの位置Ｄ、Ｃ、Ｆ、Ａ、Ｅ及びＢの順番にプレー時間が長かったことが示されており、ホールのプレーであれば、ピンの位置Ａ、Ｃ、Ｅ、Ｄ、Ｂ及びＦの順番にプレー時間が長かったことが示されている。また、グリーンまでのプレーであれば、ピンの位置Ｂ、Ｅ、Ａ、Ｃ、Ｆ及びＤの順番に、グリーン上でのプレー時間の割にプレー時間が長かったことが示されている。また、図１４では、これらの影響の大きさにどのくらいの違いがあるかを表す情報として、「第１の時間情報の平均値」、「第２の時間情報の平均値」及び「除算値」のそれぞれの値も示されている。図１４では、評価結果データの一部（１ホール分）が示されており、例えばユーザの操作により、他の１７ホールについても順位及びピンの位置等が表示される。
【００５１】
［動作］
情報処理装置１０は、以上の構成に基づき上述した評価処理を行う。以下では、評価処理における各装置の動作について、図１５を参照して説明する。
図１５は、評価処理における各装置の動作の一例を示すシーケンス図である。図１５では、情報処理装置１０により行われる動作と、同じホールにそれぞれ設置された第１測定装置３００、第２測定装置４００及び第３測定装置５００により行われる動作とがそれぞれ示されている。なお、図１５には表示していないが、他のホールに設置された各測定装置も、この図に示す各測定装置と同様の動作を行う。また、図１５では、繰り返し行われる動作については１つだけ示し、その動作が繰り返し行われる旨を説明することとした。
【００５２】
まず、第２測定装置４００が、自装置の位置を測定し（ステップＳ１１）、測定した位置と自装置の識別情報とを示す位置データを情報処理装置１０に送信する（ステップＳ１２）。情報処理装置１０は、位置データを受信すると、受信した位置データに基づいてピンの位置を表す位置情報を取得する（ステップＳ１３）。ステップＳ１３は、図８に示す位置取得部１０１が行う動作である。この例では、１組目のプレイヤーがプレーを開始する前にステップＳ１１からＳ１３までの動作が行われている。
【００５３】
続いて、第１測定装置３００が、カートの通過時刻を測定し（ステップＳ２１）、測定した通過時刻と自装置の識別情報とを示す時刻データを情報処理装置１０に送信する（ステップＳ２２）。次に、第２測定装置４００が、ピンの抜き取り時刻を測定し（ステップＳ２３）、ピンの差し込み時刻を測定する（ステップＳ２４）。第２測定装置４００は、測定した抜き取り時刻及び差し込み時刻と、自装置の識別情報とを示す時刻データを情報処理装置１０に送信する（ステップＳ２５）。情報処理装置１０は、第２測定装置４００からの時刻データを受信すると、受信した時刻データに基づいて第１の時間情報を取得する（ステップＳ１３）。
【００５４】
次に、第３測定装置５００が、カートの通過時刻を測定し（ステップＳ２７）、測定した通過時刻と自装置の識別情報とを示す時刻データを情報処理装置１０に送信する（ステップＳ２８）。情報処理装置１０は、第３測定装置５００からの時刻データを受信すると、受信した時刻データとその前に受信した第１測定装置３００からの時刻データに基づいて、第２の時間情報を取得する（ステップＳ２９）。ステップＳ２６及びＳ２９は、長さ取得部１０２が行う動作である。ステップＳ２１からＳ２９までの動作は、各ホールを各組のプレイヤーがプレーするたびに、それらのホールに設置された第１、第２、第３測定装置と情報処理装置１０とによって行われる。
【００５５】
情報処理装置１０は、例えば、ゴルフ場の運営者が次の日のピンの位置を決めるときに、運営者から操作されることにより、ピンの位置のプレー時間への影響を評価する（ステップＳ３１）。情報処理装置１０は、影響を評価した結果を示す評価結果データを表示手段に出力する（ステップＳ３２）。ステップＳ３２の動作が行われると、例えば図１４に示すような評価結果データが表示される。ステップＳ３１は評価部１０３が行う動作であり、ステップＳ３２は出力部１０４が行う動作である。
【００５６】
グリーン上のピンがいつも同じような位置に立っていると、周囲の芝が痛んだりプレイヤーが飽きてしまったりするため、ゴルフ場の運営者は、ピンの位置を毎日変えるようにしていることが多い。また、ピンの位置によってプレー時間が変化することを考慮して、ゴルフコースが混雑する週末には、比較的プレー時間が短くなりやすい位置にピンを立て、平日にはそれ以外の位置にピンを立てるといった調整が行われている。しかし、プレー時間は、プレイヤーの技量、グリーンを狙うときのライ、障害物（バンカー、池及び木等）の見え方など様々な要素に左右されるため、ピンの位置による影響を判断することが難しい。
【００５７】
本実施形態では、図１４に示すような評価結果データが出力されるため、ゴルフ場の運営者は、このデータを見ることで、ピンの位置がプレー時間に与えた影響を知ることができる。この影響は、過去のプレーにおけるものであるが、同じ位置にピンを立てれば、同様の影響がプレー時間に与えられることが期待できる。従って、運営者は、例えば、他の位置に比べてプレー時間が短くなりやすかった位置にピンを立てることで、他の位置にピンを立てる場合に比べてプレー時間が短くなることを期待することができる。このような本実施形態によれば、ピンの位置を変えてプレーに要する時間を調整する場合に、ピンの位置の決定を支援することができる。
【００５８】
また、本実施形態では、上述した除算値を用いることで、グリーンまでのプレー時間がそのグリーン上でのプレー時間の割に長かったか短かったかということが評価されている。この評価結果を用いることで、次のようなピンの位置の選択を行うことができる。例えば或るホールにおいてプレーの待ち時間が発生することが予想される２つのピンの位置のどちらかを選ばなければならない場合があったとする（他の場所は芝が痛んでいるなどの理由で）。この場合に、除算値が大きいほうを選ぶことで、グリーンまでのプレー時間が比較的長くなるようにして、ティーショットや刻みのショットにおいて待ち時間が発生しやすいようにしたり、除算値が小さいほうを選ぶことで、グリーン上でのプレー時間が比較的長くなるようにして、グリーンを狙うショットにおいて待ち時間が発生しやすいようにしたりすることができる。このように待ち時間を発生させる場所を調整することで、例えばティーグラウンド近くに茶屋があるホールであれば除算値が大きいピンの位置を選んでティーショットで待ち時間が発生するようにしたり、ティーグラウンドは日陰で寒いがグリーン手前は日向で暖かいホールであれば除算値が小さいピンの位置を選んで暖かい場所で待ち時間が発生するようにしたりすることで、どうしても待ち時間が生じてしまう場合であっても、プレイヤーに与えるストレスを減らすようにピンの位置を調整することができる。
【００５９】
また、本実施形態では、１組のプレイヤーの人数に応じてプレイヤー１人あたりのプレー時間の長さを表す時間情報が取得されている。これにより、例えば３人１組でのプレー時間と４人１組でのプレー時間とが同じである場合には、３人１組の方が４人１組に比べてプレー時間が長くかかっているものとして、ピンの位置の影響を評価することができる。
また、本実施形態では、ピンの抜き差しを検知した結果に基づいて算出したグリーン上のプレー時間が取得されている。プレイヤーがグリーン上に足を踏み入れるときに、アプローチの状況によってグリーンの周囲のどの位置を通るかは分からないため、例えば第１測定装置のような装置を用いてプレイヤーの通過を検知することが難しい。一方、ピンの抜き差しは、どのようなプレーが行われても、グリーン上のプレーの前後で必ず行われる。このような本実施形態によれば、グリーン上のプレー時間を確実に取得することができる。
【００６０】
また、本実施形態では、カップに設けられた測位手段（測位装置４２）によって測定された位置を表す情報が位置情報として取得されている。これにより、ゴルフ場の運営者が例えば毎日位置情報を入力する操作を行う必要がなくなり、そのような操作が行われる場合に比べて手間を軽減することができる。
また、本実施形態では、ピンの位置と、ピンの位置が評価部１０３により評価された結果とを対応付けた図１４に示すようなデータが出力される。これにより、ゴルフ場の運営者は、このようなデータが出力されない場合に比べて簡単に、評価された結果に基づいて各ホールのピンの位置を選択してゴルフコース全体でのプレー時間の長さを調整することができる。
【００６１】
［変形例］
上述した実施形態は、本発明の実施の一例に過ぎず、以下のように変形させてもよい。また、上述した各実施形態及び以下に示す各変形例は、必要に応じて組み合わせて実施してもよい。
【００６２】
（変形例１）
長さ取得部１０２は、実施形態では、或るホールにおけるプレー時間及びグリーン上におけるプレー時間の長さを表す時間情報を取得したが、これに限らない。長さ取得部１０２は、例えば、或るホールにおけるグリーンまでのプレー時間の長さを表す時間情報を取得してもよい。この場合、長さ取得部１０２は、或る組の或るホールにおける抜き取り時刻とティーショット時刻との差の時間を、その組のそのホールのグリーンまでのプレー時間として算出する。長さ取得部１０２は、算出したグリーンまでのプレー時間をその組のプレイヤーの人数で除した値を時間情報として取得する。
【００６３】
また、長さ取得部１０２は、例えば、グリーンを含むそのホールの所定の区間におけるプレー時間の長さを表す時間情報を取得してもよい。ここでいう所定の区間について、図１６を参照して説明する。
図１６は、所定の区間を説明するための図である。図１６では、図６に示したホール７が一例として示されている。この例では、グリーン６のエッジ（ティーグラウンド側の端部）から後方に距離Ｘ（例えば２００ヤード）にある地点よりも前方でグリーン６を含む区間が所定の区間Ｙとして定められている。第１測定装置３００は、区間Ｙが始まる位置のカートパス９沿いに設定されている。長さ取得部１０２は、第３測定装置５００からの時刻データが示す時刻と、第１測定装置３００からの時刻データが示す時刻との差の時間を、所定の区間Ｙにおけるプレー時間として算出し、あとは上記同様に時間情報を取得する。距離Ｘは、例示した２００ヤードよりも短くても長くてもよく、プレイヤーがグリーン６を狙うショットを打つ場所が含まれるように定められることが望ましい。
【００６４】
ピンの位置は、ティーショットよりも、グリーンを狙うショットに対して影響しやすい。長さ取得部１０２が上記のように所定の区間におけるプレー時間の長さを表す時間情報を取得することで、よりピンの位置により影響を受けやすいショットによるプレー時間に基づいて影響を評価することができる。
【００６５】
なお、長さ取得部１０２は、或るホールにおけるプレー時間、グリーン上におけるプレー時間、グリーンまでのプレー時間及び所定の区間におけるプレー時間の全ての時間情報を取得してもよいし、これらのうちの１つ、２つ、または３つの時間情報を取得してもよい。長さ取得部１０２が取得する時間情報が１つであれば、評価部１０３は、上述した第１の方法で影響を評価する。また、長さ取得部１０２が２つ以上の時間情報を取得し、その中にグリーン上におけるプレー時間の長さを表す時間情報が含まれていれば、評価部１０３は、上述した第２の方法で影響を評価する。この場合、長さ取得部１０２は、グリーン上におけるプレー時間の長さを表す時間情報を第１の時間情報として取得し、その他のプレー時間の長さを表す時間情報を第２の時間情報として取得する。
【００６６】
（変形例２）
評価部１０３は、上述した第１の方法において、時間情報の平均値を算出したが、これに限らず、他の値を算出してもよい。評価部１０３は、例えば、時間情報の中央値（時間情報を大きさの順番に並べたときに中央に位置する値。時間情報が偶数個の場合は中央に近い２個の時間情報の平均値。）、最大値または最小値を算出してもよい。最大値は、時間情報を取得した組の中で、最もプレーに時間がかかった組のプレー時間を表し、最小値は、それらの組の中で最もプレーに時間がかからなかった組のプレー時間を表す。例えば、上級者が多いゴルフコースでは、最もプレーに時間がかからなかった組のプレー時間に基づく評価を参考にしてピンの位置を決定し、初心者が多いゴルフコースでは、最もプレーに時間がかかった組のプレー時間に基づく評価を参考にしてピンの位置を決定するとよい。
【００６７】
（変形例３）
長さ取得部１０２は、上述した実施形態では、プレー時間を人数で除した値そのものを時間情報として取得したが、これに限らない。長さ取得部１０２は、例えば、１ホールの１人あたりのプレー時間が３分未満であれば「短い」、３分以上５分未満であれば「普通」、５分以上であれば「長い」というように、数値以外で表された時間情報を取得してもよい。この場合、評価部１０３は、例えば、或るピンの位置で取得された時間情報の２割が「短い」、３割が「普通」、５割が「長い」であれば、最も割合が大きい「長い」をそのピンの位置の時間情報として決定し、ピンの位置毎にそのように決定した時間情報を比較することで評価を行う。具体的には、評価部１０３は、「長い」という時間情報を決定したピンの位置が、「普通」という時間情報を決定したピンの位置に比べて、プレー時間が長くなったと評価する。このように、長さ取得部１０２は、プレー時間の長さを表す情報であれば、数値ではない情報を時間情報として取得してもよい。
【００６８】
（変形例４）
長さ取得部１０２は、実施形態では、プレー時間を人数で除した値を時間情報として取得したが、プレー時間をそのまま時間情報として取得してもよい。この時間情報は、その組のプレーに要した時間そのものを表している。例えば、２人組や３人組が少なく、ほとんどまたは全ての組が４人組でプレーしている場合であれば、評価部１０３は、プレー時間を人数で除した値を用いても、プレー時間そのものを用いても、ほとんど変わらない評価をすることができる。
【００６９】
（変形例５）
第２測定装置は、実施形態では、重さを測定するセンサを用いてピンの抜き差しを検知し、抜き差しの時刻を測定したが、このセンサに代えて、例えば、圧力を測定するセンサや光学センサなどを用いてもよい。圧力を測定するセンサであれば、図５に示す差し込み部４９の底部に設置することで、底部が変形したときの圧力の変化からピンの抜き差しを検知することができる。また、光学センサであれば、ピンが差し込まれると光が遮られるように設置することで、遮光物の有無によりピンの抜き差しを検知することができる。第２測定装置は、この他にも、ピンの抜き差しを検知するための物理量を測定するものであれば、どのようなセンサを用いてピンの抜き差しの時刻を測定してもよい。
【００７０】
（変形例６）
長さ取得部１０２は、実施形態では、ピンが抜き差しされた時刻に基づいてグリーン上のプレー時間を算出したが、他の方法でプレー時間を算出してもよい。例えば、第１測定装置３００と同じ測定装置がグリーンの後方のカートパス沿いに設置されている場合に、その測定装置から送信されてくる時刻データが示す時刻と、同じホールに設置された第３測定装置５００から送信されてくる時刻データが示す時刻との差の時間をグリーン上のプレー時間として算出してもよい。また、ＧＰＳ及び通信手段を備えたカートから送信されてくるカートの位置を示すデータに基づいてグリーン上のプレー時間を算出してもよい。
【００７１】
（変形例７）
位置取得部１０１は、実施形態では、図９に示すような領域を位置情報として取得したが、これに限らず、測位手段により測定された位置そのものを表す情報（例えば緯度及び経度の情報）を位置情報として取得してもよい。この場合、評価部１０３は、ピンの位置がわずかに異なるだけでもその影響を比較して評価することができる。
【００７２】
（変形例８）
位置取得部１０１は、実施形態とは異なる方法で位置情報を取得してもよい。例えば、図５に示す測位装置４２及び通信装置４４のような測位手段及び通信手段が設けられたホールカッター（グリーンにカップの穴をあける道具）を用意する。それらの測位手段及び通信手段は、作業者の操作により位置を測定し、測定した位置を示すデータを情報処理装置１０に送信するようになっている。作業者が、そのホールカッターを用いてカップの穴をあけるときに、測位手段及び通信手段を操作して、位置を測定させ、測定させた位置を示す位置データを情報処理装置１０に送信させる。位置取得部１０１は、こうして送信されてきた位置データを位置情報として取得する。このように、位置取得部１０１は、ホールカッターに設けられた、位置を測定する測位手段によって測定された位置を表す情報（例えば緯度及び経度の情報）を位置情報として取得してもよい。
【００７３】
他にも、位置取得部１０１は、ゴルフ場の運営者により操作装置１５が操作されて入力されたグリーン上の位置を位置情報として取得してもよいし、予め日にちとグリーン上の位置とを対応付けたテーブルを記憶しておき、現在の日時に対応付けられている位置を位置情報として取得してもよい。要するに、位置取得部１０１は、どのような方法でもよいので、ゴルフコースのグリーン上のピンの位置を表す位置情報を取得するものであればよい。
【００７４】
また、位置取得部１０１は、例えば、測位装置４２がＧＰＳの技術により位置を測定する場合に、第２測定装置４００から送信されてくる位置データを複数個記憶しておき、それらの位置データが示す緯度の平均値及び経度の平均値を算出し、算出した値を位置情報として取得してもよい。ＧＰＳの技術で測定される位置は、数ヤード程度の誤差を含んでおり、且つ、時間の経過とともに誤差の大きさが変化する。そこで、複数の測定結果の平均値を算出することで、誤差を相殺させてピンの位置の精度を高めることができる。特に、測位装置４２がカップに設置されている場合は、１箇所での長期の位置の測定が可能であるため、複数回の測定を行うことに適している。
【００７５】
また、位置取得部１０１は、測位装置４２がＧＰＳの技術により位置を測定する場合に、測位装置４２により測定された位置を、測位装置４２とは異なり日によって位置が変化しない（位置が固定されている）測位装置（「固定基準局」という。）により測定された結果を用いて補正し、補正した位置を表す情報を、位置情報として取得してもよい。位置取得部１０１は、詳細には、次のとおり補正を行う。固定基準局は、ＧＰＳの技術により位置を測定する機能と、自装置の正確な緯度及び経度を記憶する記憶装置と、情報処理装置１０と通信してデータをやり取りする通信装置とを備えている。固定基準局は、測位装置４２が位置を測定する時刻（例えば上述した１日のうちの決められた時刻）に位置を測定し、測定した位置と記憶している正確な緯度及び経度との差分を示す差分データを情報処理装置１０に送信する。位置取得部１０１は、各第２測定装置４００から送信されてきた位置データにより表される位置を、固定基準局から送信されてきた差分データにより表される差分が生じなかった場合の位置となるように補正する。以上のとおり、位置取得部１０１は、いわゆるＤ−ＧＰＳ（Differential GPS）の技術と同様の方法で補正を行い、ピンの位置の精度を向上させてもよい。
【００７６】
（変形例９）
評価部１０３は、実施形態では、過去にピンが立てられた位置のプレー時間に対する影響を評価したが、それら以外の位置にピンが立てられた場合におけるプレー時間に対する影響を評価してもよい。その場合の評価の方法について、図１７を参照して説明する。
図１７は、本変形例の評価の方法を説明するための図である。図１７（ａ）では、或るグリーンにおいて取得された位置情報により表されるピンの位置の例であるＰ１、Ｐ２、Ｐ３及びＰ４が示されている。この例では、上述した変形例のように測位手段により測定された位置を表す情報が位置情報として取得されている。図１７（ｂ）では、これらのピンの位置でプレーされたときに取得された時間情報の平均値が示されている。具体的には、「Ｐ１」、「Ｐ２」、「Ｐ３」及び「Ｐ４」に対応付けて「３：３０」、「３：５０」、「３：４５」及び「４：４０」という時間情報が示されている。
【００７７】
評価部１０３は、ピンの位置Ｐ１、Ｐ２及びＰ３に囲まれた位置Ｐ０にピンが立てられた場合におけるプレー時間に対する影響を次のように評価する。評価部１０３は、例えば、運営者が操作装置１５を操作して入力した位置をＰ０として取得した場合に、位置Ｐ０との距離が閾値（例えば２ｍ）以下の他の位置を特定する。評価部１０３は、この例では、位置Ｐ１、Ｐ２及びＰ３を特定する。評価部１０３は、特定した位置の時間情報の平均値をさらに平均した値を、位置Ｐ０における時間情報の平均値を表わす値として算出する。この例では、評価部１０３は、（３：３０＋３：５０＋３：４６）÷３＝３：４２を位置Ｐ０における時間情報の平均値として算出する。
【００７８】
この例では、評価部１０３は、上述した第１の方法を用いて、位置Ｐ０にピンが立っていたときのプレー時間は、位置Ｐ１にピンが立っていたときのプレー時間に比べて長くなり、位置Ｐ２、Ｐ３及びＰ４にピンが立っていたときのプレー時間に比べて短くなると評価する。以上のように、評価部１０３は、或るゴルフコースで取得された位置情報により表されるピンの位置及び時間情報に基づいて、その位置とは異なるピンの位置が、そのゴルフコースで今後プレーが行われたときに要する時間に与える影響を評価する。本変形例によれば、過去のピンを立てたことがない位置にピンを立てた場合にプレー時間に与えるであろう影響を評価することができる。
【００７９】
（変形例１０）
情報処理装置は、実施形態では、ピンの位置がプレー時間に与えた影響を評価し、その結果を示すデータを出力したが、その結果に基づいて処理した情報を出力してもよい。
図１８は、本変形例の情報処理装置の機能構成を示す図である。図１８に示す情報処理装置１０ａは、図８に示す各機能と、生成部１０５とを備える。生成部１０５には、評価部１０３から評価結果データが供給される。生成部１０５は、評価部１０３により評価された結果に基づいて、ピンの位置を決定するための情報を生成する生成手段である。生成部１０５は、制御装置１１、記憶装置１２及び操作装置１５が協働して実現する機能である。
【００８０】
制御装置１１は、例えば、ユーザが操作装置１５を操作してゴルフコース全体のプレー時間を表す情報を入力した場合に、評価部１０３から供給された評価結果データに基づいて、入力された情報により表されるプレー時間となる各ホールのピンの位置を選択する。ここで入力される情報は、幅を持たせた実際の時間（例えば４時間２０分以上４時間４０分以下など）であってもよいし、「長い」、「普通」及び「短い」といった相対的な時間の長さを表す情報であってもよい。生成部１０５は、実際の時間が入力された場合には、例えば、評価結果データが示す各ホールの「ホールのプレー」の「第２の時間情報の平均値」から、１８ホール分を合計すると入力された時間になる組み合わせを選択する。また、生成部１０５は、相対的な時間の長さを表す情報（「長い」、「普通」及び「短い」など）が入力された場合には、例えば、各ホールのいずれかのピンの位置を選択し、評価結果データが示すそれらのピンの位置の順位の平均値を算出する。生成部１０５は、例えば、「短い」と入力された場合には平均値が２．５未満になる組み合わせのピンの位置を選択し、同様に、「普通」及び「長い」と入力された場合には、平均値が２．５以上４．５未満になる組み合わせのピンの位置及び４．５以上になる組み合わせのピンの位置をそれぞれ選択する。
【００８１】
制御装置１１は、上記のとおり選択した各ホールのピンの位置を示す選択位置データを生成する。ゴルフ場の運営者は、選択位置データが示す各ホールのピンの位置の組み合わせからいずれかを選ぶことで、ゴルフコース全体のプレー時間が入力した情報に応じた長さになるようなピンの位置を決定することができる。このように、選択位置データは、ピンの位置を決定するための情報である。こうして、生成部１０５は、評価部１０３により評価された結果に基づいて、ピンの位置を決定するための情報を生成する。生成部１０５は、生成した選択位置データを出力部１０４に供給する。
【００８２】
他にも、生成部１０５は、ピンの位置毎の時間情報のばらつきを示すデータを生成してもよい。この場合、評価部１０３は、時間情報の平均値に加え、その平均値を算出するときに用いた各時間情報も示す評価結果データを生成部１０５に供給する。生成部１０５は、その評価結果データが示す時間情報を、例えばそれらの時間情報が表す時間の長さに応じて複数に分別して、分別した時間情報の数の割合を示すデータを、時間情報のばらつきを示すデータとして生成する。このデータの一例を表したグラフを図１９に示す。
【００８３】
図１９は、生成部１０５が生成したデータの一例を示すグラフである。図１９（ａ）では、図９に示すピンの位置Ａ、Ｂ、Ｃ、Ｄ、Ｅ及びＦでプレーされたときのホールにおけるプレー時間の長さを表す時間情報のばらつきが示されており、図１９（ｂ）では、そのときのグリーン上におけるプレー時間の長さを表す時間情報のばらつきが示されている。図１９（ａ）では、ピンの位置毎に、時間情報の全体の数を１００としたときの、５分以上を表す時間情報の数と、３分以上５分未満を表す時間情報の数と、３分未満を表す時間情報の数とが示されている。図１９（ｂ）では、ピンの位置毎に、時間情報の全体の数を１００としたときの、３分以上を表す時間情報の数と、１分以上３分未満を表す時間情報の数と、１分未満を表す時間情報の数とが示されている。
【００８４】
運営者は、このグラフを見ることで、例えば、ピンの位置をＡにした場合は、他のピンの位置に比べて、グリーン上でのプレー時間及びホールでのプレー時間のいずれもまんべんなく散らばっていることから、グリーンまでのプレーもグリーン上のプレー（すなわちパッティング）も普通の（比較的難しくも易しくもない）ピンの位置であると判断することができる。また、運営者は、ピンの位置をＢ及びＥにした場合は、他のピンの位置に比べて、グリーン上でのプレー時間及びホールでのプレー時間のいずれも長くなる傾向にあることから、グリーンまでは普通だがグリーン上のプレーが難しいピンの位置であると判断することができる。
【００８５】
また、運営者は、ピンの位置をＣにした場合は、他のピンの位置に比べて、グリーン上でのプレー時間が短くなる傾向となっていることから、グリーン上でのプレーが易しいピンの位置であると判断することができる。また、運営者は、ピンの位置をＤ及びＦにした場合は、他のピンの位置に比べて、グリーン上でのプレー時間はまんべんなくばらついているが、ホールでのプレー時間が長くなる傾向にあることから、グリーンに乗るまでに時間がかかるピンの位置である判断することができる。運営者は、図１９に示すグラフを参照することで、以上の判断を行い、グリーン上でのプレーを難しくするか、グリーンに乗るまでのプレーを難しくするかといった方針に沿ったピンの位置を決定することができる。このように、図１９に示すデータも、ピンの位置を決定するための情報である。
【００８６】
他にも生成部１０５は、ピンの位置がプレー時間に与える影響を視覚的に表すデータを生成してもよい。
図２０は、生成部１０５が生成したデータの一例を示す図である。図２０では、図９に示すグリーン６が３つの領域Ｒ１、Ｒ２及びＲ３に分割されて示されている。領域Ｒ１は、取得された第２の時間情報が４：２０以上であったピンの位置を含む領域であり、領域Ｒ２は、取得された第２の時間情報が４：００以上４：２０未満であったピンの位置を含む領域であり、領域Ｒ３は、取得された第２の時間情報が４：００未満であったピンの位置を含む領域である。なお、この例では、図９に示す６つの領域をピンの位置とするのではなく、測位手段により測定された位置をそのままピンの位置として、評価が行われている。
【００８７】
上述した変形例のように、過去にピンが立てられた位置以外の位置にピンを立てる場合、このデータを見れば、例えばホールにおけるプレー時間を短くしたいという方針であれば、領域Ｒ３に含まれる位置の中から幅広く位置を選ぶことができる。図２０の例では、３つの領域で示したが、時間情報を取得したピンの位置が増えてくれば、より多くの領域を示すことができるようになる。
【００８８】
（変形例１１）
長さ取得部１０２は、第２測定装置４００により測定される差し込み時刻から次のホールに設置された第１測定装置３００により測定されるティーショット時刻までに経過した時間を、ホール間の待ち時間の長さを表す時間情報（「第３の時間情報」という。）として取得してもよい。第３の時間情報は、或るホールのホールアウトから次のホールのティーショットまでに要するプレー時間（すなわちホール間のプレー時間）を表す。図６で示した位置に第１測定装置３００が設置されている場合、第３の時間情報は、詳細には、ホールアウトから次のホールのティーショットを終えて移動し始めるまでのプレー時間を表す。なお、第１測定装置３００をティーグラウンドよりも前のホール側に設置することで、第３の時間情報がホールアウトからプレイヤーがティーグラウンドに到着するまでのプレー時間を表すようにしてもよい。
【００８９】
評価部１０３は、互いに異なるピンの位置における第３の時間情報同士を比較して、ピンの位置がホール間のプレー時間に与えた影響を評価する。例えば、２つのピンの位置Ｇ、Ｈでそれぞれプレーがされた場合に、取得された第３の時間情報により表される時間の長さが、位置Ｇだと４分００秒であり、位置Ｈだと２分００秒であったとする。その場合、評価部１０３は、位置Ｇにピンが立っていたときのホール間のプレー時間が、位置Ｈにピンが立っていたときに比べて第３の時間情報により表されるホール間のプレー時間が長くなったと評価する。また、このような本変形例によれば、ホール間毎の第３の時間情報により表されるプレー時間を比較することで、どのホール間においてプレイヤーが混雑しやすいかということを評価することもできる。
【００９０】
（変形例１２）
情報処理装置は、実施形態では、表示装置１４及び操作装置１５を備えていたが、評価結果データを外部装置に出力するだけとすれば表示装置１４を備えていなくてもよいし、外部装置から通信装置１３を介して操作するようにすれば操作装置１５を備えていなくてもよい。また、情報処理装置は、パーソナルコンピュータ以外にも、ノート型のコンピュータや携帯電話、スマートフォン、タブレット端末などであってもよい。要するに、図８に示す各機能を実現するものであれば、どのような情報処理装置であってもよい。
【００９１】
（変形例１３）
本発明は、情報処理装置や評価システムの他にも、情報処理装置が実施する処理を実現するための情報処理方法としても捉えられるものである。ここでいう処理とは、例えば、図１５に示す評価処理である。また、本発明は、情報処理装置のようなコンピュータを、図８に示す各手段として機能させるためのプログラムとしても捉えられるものである。このプログラムは、これらを記憶させた光ディスク等の記録媒体の形態で提供されたり、インターネット等のネットワークを介して、コンピュータにダウンロードさせ、これらをインストールして利用可能にするなどの形態でも提供されたりするものであってもよい。
【符号の説明】
【００９２】
１…評価システム、２…ネットワーク、１０…情報処理装置、１１、３２、４３、５２…制御装置、１２…記憶装置、１３、３３、４４、５３…通信装置、１４…表示装置、１５…操作装置、３１、４１、５１…センサ、４２…測位装置、２００…測定装置群、３００…第１測定装置、４００…第２測定装置、５００…第３測定装置、１０１…位置取得部、１０２…長さ取得部、１０３…評価部、１０４…出力部、１０５…生成部
【図１】
2014117570.tif 000003
【図２】
2014117570.tif 000004
【図３】
2014117570.tif 000005
【図４】
2014117570.tif 000006
【図５】
2014117570.tif 000007
【図６】
2014117570.tif 000008
【図７】
2014117570.tif 000009
【図８】
2014117570.tif 000010
【図９】
2014117570.tif 000011
【図１０】
2014117570.tif 000012
【図１１】
2014117570.tif 000013
【図１２】
2014117570.tif 000014
【図１３】
2014117570.tif 000015
【図１４】
2014117570.tif 000016
【図１５】
2014117570.tif 000017
【図１６】
2014117570.tif 000018
【図１７】
2014117570.tif 000019
【図１８】
2014117570.tif 000020
【図１９】
2014117570.tif 000021
【図２０】
2014117570.tif 000022